(57)【特許請求の範囲】
【請求項１】
ブリッジ全波整流回路を有する電源ブロックと、その電源ブロックから給電が行なわれる制御回路とを備えた同一回路構成の３台以上の電気機器により構成され、
各電気機器の前記電源ブロックに、共通のトランスから給電が行なわれ、
前記ブリッジ全波整流回路の入力側には第一の過電流保護手段が配置されるとともに、
前記ブリッジ全波整流回路の出力が前記制御回路とグランドを共有するように構成され、
信号線とシールド線とを有するケーブルが分岐して各電気機器の前記制御回路に個別に接続することにより、一の前記電気機器のグランドと他の前記電気機器のグランドとが等電位となっている遊技場設備において、
前記ケーブルの前記シールド線を介して一の前記電気機器のグランドと他の前記電気機器のグランドとを接続するグランドライン上であって、前記ケーブルが分岐する箇所よりも前記電気機器側に、それら電気機器に個別の第二の過電流保護手段を配置し、
前記第一の過電流保護手段が作動したら前記第二の過電流保護手段が作動して、前記シールド線に電気が流れないようになっていることを特徴とする遊技場設備。
【請求項２】
前記第一の過電流保護手段はヒューズまたはポリスイッチであり、前記第二の過電流保護手段は前記第一の過電流保護手段より小さい容量のヒューズまたはポリスイッチであることを特徴とする請求項１記載の遊技場設備。
【請求項３】
前記電気機器は遊技店において遊技機の各々に併設されるＴＶ付き貸出装置であり、前記制御回路はＴＶチューナ回路を含み、前記ケーブルは前記ＴＶチューナ回路に接続されるＴＶチューナ用同軸ケーブルであることを特徴とする請求項１または２記載の遊技場設備。
【発明の詳細な説明】
【技術分野】
【０００１】
本発明は、複数の電気機器が共通のトランスからＡＣ電力を得る一方で、ＴＶチューナ用同軸ケーブル等のケーブルを介して、各電気機器のグランドが接続して等電位になっている構成の遊技場設備に関する。
【背景技術】
【０００２】
遊技店においては、遊技機（パチンコ機・パチスロ機）、貸出装置、台毎データ表示端末、集中情報公開装置といった電気機器が遊技場設備（電気設備）を構成している。通常、こうした電気機器はＡＣ２４Ｖを主電源とし、回路を動作させるための電源回路を各自が持っている（下記特許文献１）。各電気機器の電源回路には、遊技島に設置されたトランスからＡＣ２４Ｖの給電が行なわれる。
【０００３】
ところで近年は、パチンコ機の１台１台に併設される玉貸出装置にテレビ受像機を合体させたものがある。図５の遊技場設備２００に示すごとく、複数の玉貸出装置５０，５２のＴＶチューナ回路７０，７２には、共通のＴＶチューナ用同軸ケーブル５４が分岐して接続される。
【０００４】
また、玉貸出装置５０（，５２）の電源ブロック６２（，６４）には、ＡＣ２４Ｖを直流に変換するブリッジ全波整流回路６６（，６８）が設けられている。ブリッジ全波整流回路６６（，６８）の出力は分岐して、所定電圧を生成する各電源回路７４，７６，７８（，８０，８２，８４）に接続される。また、ブリッジ全波整流回路６６（，６８）の入力側には、該ブリッジ全波整流回路６６（，６８）の部品などがショートした際の過電流保護を目的としたヒューズＦ１４（，Ｆ１５）が設けられている。
【特許文献１】特開２００３−１６９９５５号公報
【発明の開示】
【発明が解決しようとする課題】
【０００５】
ここで、本発明者は、ヒューズＦ１４（，１５）が溶断した場合であっても、玉貸出装置５０（，５２）の動作が続くことに気がついた。なぜなら、ブリッジ全波整流回路６６（，６８）の出力の−側がＴＶチューナ回路７０（，７２）等の他の回路とグランドを共有するとともに、ＴＶチューナ用同軸ケーブル５４のシールド線によって両玉貸出装置５０，５２のグランド同士が導通接続して等電位となっているからである。
【０００６】
たとえば、一方の玉貸出装置５０において、部品ショート等の不具合が発生してヒューズＦ１４が溶断したとする。この状態において、コンセント５８の上側が正極性の場合には後段の回路に電気は流れない。ところがコンセント５８の下側が正極性の場合には、ブリッジ全波整流回路６６により整流が行なわれる。この結果、図６に示すごとく、不具合が発生した玉貸出装置５０側の負荷（各制御回路のこと）→グランド→ＴＶチューナ用同軸ケーブル５４のシールド線→正常な玉貸出装置５２のグランド→ブリッジ全波整流回路６８→ヒューズＦ１５→コンセント６０の順番で形成される回路に電気が流れる。
【０００７】
ブリッジ全波整流回路６６で整流が行なわれるといっても、半波整流された不安定な出力電圧しか得られず、後段の回路が正常に機能するかどうか不明である。そもそも、不具合の発生した機器が動作しつづけること自体問題である。こうした問題に鑑み、本発明は、不具合の発生した電気機器の動作停止が確実になされる遊技場設備を提供することを課題とする。
【課題を解決するための手段および発明の効果】
【０００８】
上記課題を解決するために本発明は、ブリッジ全波整流回路を有する電源ブロックと、その電源ブロックから給電が行なわれる制御回路とを備えた複数の電気機器の電源ブロックに、共通のトランスから給電が行なわれ、ブリッジ全波整流回路の出力が制御回路とグランドを共有するように構成され、信号線とシールド線とを有するケーブルが分岐して各電気機器の制御回路に個別に接続することにより、一の電気機器のグランドと他の電気機器のグランドとが等電位となっており、ブリッジ全波整流回路の入力側には第一の過電流保護手段が配置され、ケーブルのシールド線を介して一の電気機器のグランドと他の電気機器のグランドとを接続するグランドライン上に、第二の過電流保護手段が配置されていることを主要な特徴とする。
【０００９】
上記本発明によれば、ブリッジ全波整流回路の入力側に設けた第一の過電流保護手段が作動した場合には、これにともなって第二の過電流保護手段が作動し、ケーブルを介して一の電気機器のグランドから他の電気機器のグランドに電気が流れる回路が電気的に切断されることになる。この結果、不具合の発生している電気機器を、完全に電源が切れた状態にすることが可能になるので、該当電気機器は確実に保護される。
【００１０】
具体的に、第一の過電流保護手段はヒューズまたはポリスイッチで構成できる第二の過電流保護手段は第一の過電流保護手段とは異なる容量のヒューズまたはポリスイッチで構成できる。さらに、第二の過電流保護手段としては、第一の過電流保護手段よりも遥かに小さい電流で回路を切断するものを用いるとよい。なぜなら、第二の過電流保護手段は、大きい電流が流れたとき直ちに作動しなければならないからである。
【００１１】
また、第二の過電流保護手段は、上記したグランドライン上のケーブルが分岐する箇所よりも電気機器側に、各電気機器に個別に設けることが望ましい。極論すれば、ケーブルの分岐線ではない本線に第二の過電流保護手段を設けることも可能であるが、そのようにすると第二の過電流保護手段が作動した後はケーブルのシールド線が浮いた状態となり、正常な電気機器への影響が懸念される。したがって、第二の過電流保護手段は、各電気機器に個別に設けることが望ましい。
【００１２】
また、複数の電気機器は同一種類かつ３台以上であり、それら電気機器に取り付けられる第二の過電流保護手段にも同一容量のヒューズまたはポリスイッチを用いるとよい。グランドが等電位になる同一構成の電気機器が２台のとき、それら電気機器の同じ箇所に同一容量のヒューズを取り付けた場合には、不具合が発生していない電気機器のヒューズ（第二の過電流保護手段）が溶断する可能性がある。他方、同一構成の電気機器が３台以上の場合、第一の過電流保護手段が作動した側の電気機器のヒューズ（第二の過電流保護手段）が確実に働く。ケーブルが分岐する箇所よりも電気機器側に第二の過電流保護手段を設けると、第一の過電流保護手段が作動した場合において、該第一の過電流保護手段が作動した電気機器の第二の過電流保護手段に流れる電流は、正常な電気機器の第二の過電流保護手段に流れる電流よりも大きくなるからである。
【００１３】
また、電気機器は遊技店において遊技機の各々に併設されるＴＶ付き玉貸出装置であり、制御回路はＴＶチューナ回路を含み、上記ケーブルはＴＶチューナ回路に接続されるＴＶチューナ用同軸ケーブルとすることができる。こうした遊技場設備は、従来から遊技島のトランスを多数の遊技機・貸出装置が共有している。本発明の採用は、電源設備自体の改造を伴わないで済むから、コストも低廉である。
【発明を実施するための最良の形態】
【００１４】
以下、添付の図面を参照しつつ本発明の一実施形態について説明する。
図１に示すのは遊技場設備１００の全体模式図である。遊技場設備１００は、複数のパチンコ機２Ａ，２Ｂ，２Ｃ，２Ｄと、それらパチンコ機２Ａ，２Ｂ，２Ｃ，２Ｄに個別に併設された玉貸出装置１Ａ，１Ｂ，１Ｃ，１Ｄと、同じく個別に併設された台ランプ３Ａ，３Ｂ，３Ｃ，３Ｄと、トランス５とを備える。玉貸出装置１Ａ，１Ｂ，１Ｃ，１Ｄは、テレビ受像機が合体されたＴＶ付き玉貸出装置として構成されている。各玉貸出装置１Ａ，１Ｂ，１Ｃ，１Ｄには、ＴＶチューナ用同軸ケーブル４が分岐して個別に接続されている。ＴＶチューナ用同軸ケーブル４は、アンテナ６に接続される。
【００１５】
なお、パチンコ機２Ａ，２Ｂ，２Ｃ，２Ｄがスロットマシンに、玉貸出装置１Ａ，１Ｂ，１Ｃ，１Ｄがメダル貸出装置に置き換わる形態でもよい。台ランプ３Ａ，３Ｂ，３Ｃ，３Ｄは、各パチンコ機２Ａ，２Ｂ，２Ｃ，２Ｄの遊技データを表示する表示装置として構成されていてもよい。
【００１６】
遊技場設備１００は、遊技島と呼ばれる設備単位を構成しており、トランス５はそうした遊技島の一または複数箇所に配置されている。トランス５は、複数のパチンコ機２Ａ，２Ｂ，２Ｃ，２Ｄ、複数の玉貸出装置１Ａ，１Ｂ，１Ｃ，１Ｄ、複数の台ランプ３Ａ，３Ｂ，３Ｃ，３Ｄといった電気機器に共通のＡＣ電源として機能する。一般にはＡＣ１００Ｖ（場合によってはＡＣ２００Ｖ）がトランス５でＡＣ２４Ｖまで降圧され、ＡＣ２４Ｖが各電気機器に供給される仕組みである。
【００１７】
図２に示すのは、図１の遊技場設備１００における玉貸出装置１Ａ，１Ｂの回路図である。玉貸出装置１Ｃ，１Ｄも全く同じ構成を持つが、紙面スペースの都合で省略する。図２に示すごとく、玉貸出装置１Ａ（，１Ｂ）は、電源ブロック７（，２１）と、図示しない画像処理回路やＴＶチューナ回路１７（，３１）、さらには玉の貸出に関連した制御回路など、動作電圧の相違する複数の制御回路とを有する。各玉貸出装置１Ａ，１Ｂの電源ブロック７，２１は、一のトランス５に並列に接続する形となっている。
【００１８】
電源ブロック７（，２１）は、全波整流回路として機能するブリッジ全波整流回路９（，２３）と、ブリッジ全波整流回路９（，２３）の出力電圧からＤＣ１２Ｖを生成する電源回路１１（，２５）、同じくＤＣ５Ｖを生成する電源回路１３（，２７）、同じくＤＣ３．３Ｖを生成する電源回路１５（，２９）によって構成されている。これらの定電圧電源回路１１，１３，１５（，２５，２７，２９）から、各制御回路に個別に所定電圧の電力が供給される。ブリッジ全波整流回路９（，２３）は、ダイオードブリッジ、平滑回路等で構成される回路である。
【００１９】
ブリッジ全波整流回路９（，２３）の出力の−側は、各電源回路１１，１３，１５（，２５，２７，２９）と共通のグランドに接続されている。他方、ブリッジ全波整流回路９（，２３）の入力側には、コンセント１９（，３３）などの接続部品が取り付けられており、このコンセント１９（，３３）を介してトランス５から通電が行なわれる構成となっている。また、コンセント１９（，３３）の後段かつブリッジ全波整流回路９（，２３）の入力側には、第一ヒューズＦ１１（，Ｆ１２）が設けられており、ブリッジ全波整流回路９（，２３）等において部品ショート等の不具合が発生した場合の過電流保護を図るようにしている。第一ヒューズＦ１１（，Ｆ１２）は、過電流保護手段として機能するものであり、ヒューズに替えてポリスイッチを用いることも可能である。
【００２０】
ＴＶチューナ回路１７（，３１）には、他の制御回路からの制御線が接続されるとともに、電源回路１３（，２７）からの電圧が与えられる。ＴＶチューナ回路１７（，３１）のグランド（ｅ．）は、ブリッジ全波整流回路９（，２３）の出力の−側が接続されるグランド（ａ．）や各電源回路１１，１３，１５（，２５，２７，２９）のグランド（ｂ．〜ｄ．）と共通である。具体的には、プリント基板に作りこまれたグランド導体やリード線を介して、電源ブロック７（，２１）のグランドと、ＴＶチューナ回路１７（，３１）のグランドとが導通する構成となる。
【００２１】
また、各玉貸出装置１Ａ，１ＢのＴＶチューナ回路１７，３１には、一のＴＶチューナ用同軸ケーブル４が分岐して接続されている。そして、そのＴＶチューナ用同軸ケーブル４のシールド線により、一の玉貸出装置１Ａのグランドと他の玉貸出装置１Ｂのグランドとが導通して等電位となっている。
【００２２】
一方、ＴＶチューナ回路１７（，３１）の第一のグランド端子と、電源回路１３（，２７）のグランド端子とを接続する配線経路上には、第二の過電流保護手段としての第二ヒューズＦ２１（，Ｆ２２）が配置されている。一方、ＴＶチューナ回路１７（，３１）のアンテナ端子および第二のグランド端子には、ＴＶチューナ用同軸ケーブル４が接続されている。ＴＶチューナ回路１７（，３１）の第一のグランド端子と第二のグランド端子は、導通している。これにより、第一ヒューズＦ１１（，Ｆ１２）が溶断して、ＴＶチューナ用同軸ケーブル４が形成するグランドライン経由で電流が流れた際には、第二ヒューズＦ２１（，Ｆ２２）にて回路が電気的に切断され、不具合が発生している玉貸出装置１Ａ（，１Ｂ）を電源が切れた状態となる。
【００２３】
第二ヒューズＦ２１（，Ｆ２２）には、第一ヒューズＦ１１（，Ｆ１２）よりも定格値の小さいものを使用するとよい。たとえば、第一ヒューズＦ１１（，Ｆ１２）には、３Ａのものを使用する。また、図２の実施形態の第二ヒューズＦ２１（，Ｆ２２）には、ＴＶチューナ回路１７（，３１）の動作電流が１５０ｍＡだとすると、それよりも若干大きい２００ｍＡ程度の容量を持つものを用いる。このような条件とすれば、第二ヒューズＦ２１（，Ｆ２２）は、ＴＶチューナ回路１７（，３１）の動作電流が流れても溶断せず、第一ヒューズＦ１１（，Ｆ１２）が溶断したときに直ちに溶断することになる。なお、第二の過電流保護手段には、ヒューズに替えてポリスイッチを用いるようにしてもよい。ヒューズやポリスイッチなどの素子に替えて、過電流回路を設けるようにしてもよい。
【００２４】
なお、後述する図３や図４の実施形態では、ＴＶチューナ回路１７（，３１）の動作電流を考慮することなく、第二ヒューズＦ２１（，Ｆ２２）を設けることができるという利点がある。通常時は、第二ヒューズＦ２１（，Ｆ２２）に電流がほとんど流れないからである。
【００２５】
また、本実施形態では、共通のトランス５に並列接続して給電されるとともに、一のＴＶチューナ用同軸ケーブル４によってグランド同士が接続されている玉貸出装置１Ａ，１Ｂ，１Ｃ，１Ｄが３台以上とされているので、第一ヒューズＦ１１（，Ｆ１２）が溶断した玉貸出装置１Ａ，１Ｂの第二ヒューズＦ２１（，Ｆ２２）が真っ先に溶断する。このことは、本発明の好適な実施形態が遊技場設備１００であることを支持する。
【００２６】
また、図２に示すようなＴＶチューナ回路１７，３１は、モジュール化された状態で電機メーカーから供給されるのが通常である。したがって、モジュール化されたＴＶチューナ回路１７，３１単体での設計変更はコスト高となるので賢明なやり方とはいえない。本実施形態のごとく、ＴＶチューナ回路１７，３１外に過電流保護手段としての第二ヒューズＦ２１，Ｆ２２を設ければ、大した設計変更が必要ないので低コストである。
【００２７】
また、第二ヒューズＦ２１（，Ｆ２２）の配置は、図２の形態に限定されない。すなわち、図３や図４に示す配置とすることが可能である。図３の例では、ＴＶチューナ回路１７のグランド端子と、ＴＶチューナ用同軸ケーブル４のシールド線との間に、第二ヒューズＦ２１（，Ｆ２２）を介挿し、その第二ヒューズＦ２１（，Ｆ２２）とＴＶチューナ回路１７（，３１）のグランド端子との間に当該玉貸出装置１Ａ（，１Ｂ）のグランド配線を結線する。図４の例も基本概念は図３と同様であり、一の玉貸出装置から他の玉貸出装置へ接続されるＴＶチューナ用同軸ケーブルのシールド線間にヒューズが挿入されている。
【００２８】
要するに、第一ヒューズＦ１１（，Ｆ１２）が溶断した場合に共に溶断して、ＴＶチューナ用同軸ケーブル４に電流が流れることを阻止するように第二ヒューズＦ２１（，Ｆ２２）を配置すればよい。詳しくは、ＴＶチューナ用同軸ケーブル４のシールド線を介して一の玉貸出装置１Ａのグランドと他の玉貸出装置１Ｂのグランドとを接続するグランドライン上の、ＴＶチューナ用同軸ケーブル４が分岐する箇所よりもＴＶチューナ回路１７（，３１）寄りに、各玉貸出装置１Ａ（，１Ｂ）に個別の第二ヒューズＦ２１（，Ｆ２２）を配置すればよい。
【００２９】
以上、本実施形態ではＴＶ付き貸玉装置を例として説明を行なったが、発明の概念はこれに限定されるわけではない。たとえば、島内サーバや集中情報公開装置などのネットワーク機器がＣＡＮ通信用ケーブルで接続され、該ケーブルによってグランド同士が導通接続する構成のネットワーク通信設備にも、本発明を好適に採用できる。
【図面の簡単な説明】
【００３０】
【図１】本発明の遊技場設備の全体模式図。
【図２】図１の遊技場設備における玉貸出装置の回路図。
【図３】第二ヒューズの別配置を示す回路図。
【図４】同じく第二ヒューズの別配置を示す回路図。
【図５】従来の遊技場設備における玉貸出装置の回路図。
【図６】図５の遊技場設備の問題点を説明する回路図。
【符号の説明】
【００３１】
１Ａ，１Ｂ，１Ｃ，１Ｄ  玉貸出装置（電気機器）
２Ａ，２Ｂ，２Ｃ，２Ｄ  パチンコ機
４  ＴＶチューナ用同軸ケーブル
５  トランス
７，２１  電源ブロック
９，２３  ブリッジ全波整流回路
１７，３１  ＴＶチューナ回路
Ｆ１１，Ｆ１２  第一ヒューズ
Ｆ２１，Ｆ２２  第二ヒューズ
１００  遊技場設備（電気設備）
【要約】
【課題】  不具合の発生した電気機器の動作停止が確実になされる電気設備を提供する。
【解決手段】  本発明の遊技場設備１００においては、複数のＴＶ付き玉貸出装置１Ａ，１Ｂに、共通のトランス５から給電が行なわれる。ＴＶ付き玉貸出装置１Ａ（，１Ｂ）は、ダイオードブリッジ９（，２３）を有する電源ブロック７（，２１）と、その電源ブロック７（，２１）から給電が行なわれるＴＶチューナ回路１７（，３１）とを備える。ダイオードブリッジ９（，２３）の出力は、ＴＶチューナ回路１７，３１とグランドを共有している。一方、ＴＶチューナ用同軸ケーブル４が分岐して各玉貸出装置１Ａ，１ＢのＴＶチューナ回路１７，３１に個別に接続されている。これにより、一の玉貸出装置１Ａのグランドと他の玉貸出装置１Ｂのグランドとが等電位となっている。ダイオードブリッジ９（，２３）の入力側に第一ヒューズＦ１１（，Ｆ１２）、ＴＶチューナ用同軸ケーブル４のシールド線を介して一の玉貸出装置１Ａのグランドと他の玉貸出装置１Ｂのグランドとを接続するグランドライン上に、第二ヒューズＦ２１（，Ｆ２２）を配置する。
【選択図】  図２
【図１】
0003595333.tif 000002
【図２】
0003595333.tif 000003
【図３】
0003595333.tif 000004
【図４】
0003595333.tif 000005
【図５】
0003595333.tif 000006
【図６】
0003595333.tif 000007